(57)【要約】【課題】適用する衣類の態様に応じて衣類を的確に折り畳み可能とすることにより、折り畳み態様の乱れを抑制しつつコンパクトに収納可能な衣類収納具を提供する。【解決手段】衣類収納具１０は、中枠体１１と、中枠体に第１の連結具１５を介して展開可能かつ折り畳み可能にそれぞれ連結された側枠体１３と、を具備する。第１の連結具１５は、中枠体に対して接続角を変更可能に接続された中枠側接続部１５ａと、側枠体に対して接続角を変更可能に接続された側枠側接続部１５ｂと、中枠側接続部と側枠側接続部を第１の間隔Ｇ１５を介して連結する連結部１５ｃとを有する。【選択図】  図１
2020000566.tif 000002
【特許請求の範囲】
【請求項１】
衣類の上部の内部において左右の中側に配置される中側支持上縁を備える中枠体と、衣類の上部の内部において前記中側支持上縁の左右の外側に配置される外側支持上縁及び衣類の側部の内側に配置される外側支持側縁を備え、前記中枠体の左右の側部に第１の連結具を介して展開可能かつ折り畳み可能にそれぞれ連結された左右の側枠体と、を具備し、
前記第１の連結具は、前記中枠体の前記側部に対して接続角を変更可能に接続された中枠側接続部と、前記側枠体に対して接続角を変更可能に接続された側枠側接続部と、前記中枠側接続部と前記側枠側接続部を第１の間隔を介して連結する連結部とを有する、
衣類収納具。
【請求項２】
前記中枠体の下部に第２の連結具を介して展開可能かつ折り畳み可能に連結された上部を備える下枠体をさらに具備し、
前記第２の連結具は、前記中枠体の前記下部に対して接続角を変更可能に接続された中枠側接続部と、前記下枠体の前記上部に対して接続角を変更可能に接続された下枠側接続部と、前記中枠側接続部と前記下枠側接続部を第２の間隔を介して連結する連結部とを有する、
請求項１に記載の衣類収納具。
【請求項３】
前記第２の間隔は、前記第１の間隔より大きい、
請求項２に記載の衣類収納具。
【請求項４】
前記側枠体の上下方向の長さは、前記側枠体の左右方向の幅の１．５倍以上である、
請求項１〜３のいずれか一項に記載の衣類収納具。
【請求項５】
前記下枠体の左右の側部に対して第３の連結具を介して展開可能かつ折り畳み可能に連結された下側枠体をさらに具備し、
前記第３の連結具は、前記下枠体の前記側部に対して接続角を変更可能に接続された下枠側接続部と、前記下側枠体に対して接続角を変更可能に接続された下側枠側接続部と、前記下枠側接続部と前記下側枠側接続部を第３の間隔を介して連結する連結部とを有する、
請求項１〜４のいずれか一項に記載の衣類収納具。
【請求項６】
前記第２の間隔は、前記第３の間隔より大きい、
請求項５に記載の衣類収納具。
【請求項７】
前記第１の連結具は、前記中枠体と前記側枠体が展開された態様にあるときの前記中枠体と前記側枠体の角度姿勢が保持される保持力を生ずるように構成される、
ことを特徴とする請求項１〜６の何れか一項に記載の衣類収納具。
【請求項８】
前記第１の連結具は、前記中枠体と前記側枠体が折り畳まれた態様において、前記中枠側接続部及び前記側枠側接続部が接続角を変更することにより、前記中枠側接続部と前記側枠側接続部とを結ぶ方向が、前記中枠体と前記側枠体とが対面する方向に沿った姿勢から、前記対面する方向に対して傾斜する姿勢に移行可能となるように構成される、
ことを特徴とする請求項１〜７のいずれか一項に記載の衣類収納具。
【請求項９】
前記中枠側接続部と前記側枠側接続部とを結ぶ方向が、前記中枠体と前記側枠体とが対面する方向に沿った姿勢から、前記対面する方向に対してその両側のいずれに傾斜する姿勢にも移行可能となるように構成される、
ことを特徴とする請求項８に記載の衣類収納具。
【請求項１０】
衣類の上部の内部に配置され、衣類の上部の内部において少なくとも左右の中側に配置される部分である中枠体を含む上枠部と、前記中枠体の下部に第２の連結具を介して展開可能かつ折り畳み可能に連結された上部を備え少なくとも左右の中側に配置される部分である下枠体を含む下枠部と、を具備し、
前記第２の連結具は、前記中枠体の下部に対して接続角を変更可能に接続された中枠側接続部と、前記下枠体の上部に対して接続角を変更可能に接続された下枠側接続部と、前記中枠側接続部と前記下枠側接続部を第２の間隔を介して連結する連結部とを有する、
衣類収納具。
【請求項１１】
前記第２の連結具は、前記中枠体と前記下枠体が折り畳まれた態様において、前記中枠側接続部及び前記下枠側接続部が接続角を変更することにより、前記中枠側接続部と前記下枠側接続部とを結ぶ方向が、前記中枠体と前記下枠体とが対面する方向に沿った姿勢から、前記対面する方向に対して傾斜する姿勢に移行可能となるように構成される、
請求項２、３又は１０に記載の衣類収納具。
【請求項１２】
前記中枠側接続部と前記下枠側接続部とを結ぶ方向が、前記中枠体と前記下枠体とが対面する方向に沿った姿勢から、前記対面する方向に対してその両側のいずれに傾斜する姿勢にも移行可能となるように構成される、
ことを特徴とする請求項１０又は１１に記載の衣類収納具。
【発明の詳細な説明】
【技術分野】
【０００１】
本発明は衣類収納具に関する。
【背景技術】
【０００２】
従来から、衣類を折畳可能に構成した種々の器具が提案されている。例えば、以下の特許文献１には、ハンガーの中央部分に対して左右の両側部分（ハンガー肩受部１０，１１）を横方向に折り畳み可能に構成するとともに、ハンガーの中央部分から下方へ延在し、縦方向に折り畳み可能に構成された枠体部（ハンガー胴部１９）を備えた整形ハンガーが提案されている。また、縦方向に折り畳み可能に構成されたハンガーとしては、以下の特許文献２に開示されたものも知られている。
【０００３】
また、以下の特許文献３には、衣類を折り畳む際に用いる補助板が記載されている。この補助板は、主板１０の左右に連接板２０を連結するとともに、主板１０の下方に中央下板４０を連結したものである。これらの各板の上に衣類を配置し、連接板２０や中央下板４０をその上に配置された衣類の部分とともに主板１０上の衣類の中央部分に重ねるように折りたたむことができるように構成される。
【先行技術文献】
【特許文献】
【０００４】
【特許文献１】特開２００４−３４４４４５号公報
【特許文献２】登実第３０５４０５１号公報
【特許文献３】登実第３１２８５７１号公報
【発明の概要】
【発明が解決しようとする課題】
【０００５】
ところで、上記特許文献１に記載された折り畳み可能なハンガーにおいては、衣類を掛けて吊り下げることができるとともに衣類とともに縦横に折り畳むことができるものの、ワイシャツなどの薄手の衣類に用いることを想定しているため、スーツの上着やコートなどの厚手の衣類に用いると、回転軸の近傍に布地が挟まることにより連結部分を完全に折り畳むことができなくなり、衣類をコンパクトに収納することができなくなる場合があるといった問題がある。
【０００６】
一方、上記特許文献２に記載されたハンガーや特許文献３に記載された補助板では、或る程度の厚みの衣類であっても折り畳むことができるが、衣類に対する折り畳み時の規制力が弱いため、衣類の折り畳み箇所がずれてしまったり、衣類にしわが寄ってしまったりするという問題がある。例えば、特許文献２に記載されたハンガーでは、単に衣類の中央部内側に挿入されるだけであるため、横方向の折り畳みを案内する構造自体が存在せず、縦方向の連結部もベルトで構成されるため、折り畳み箇所が安定しない。また、特許文献３に記載された補助板では、単にその上に衣類を載せた状態で折り畳むだけであり、衣類を内側から支持、案内することができないため、折り畳み時の衣類の案内機能がきわめて弱く、折り畳み態様の乱れが生ずる虞がある。
【０００７】
そこで、本発明の課題は、適用する衣類の態様に応じて衣類を的確に折り畳み可能とすることにより、皺などを抑制しつつコンパクトに収納可能な衣類収納具を提供することにある。
【課題を解決するための手段】
【０００８】
上記課題を解決するために、本発明の衣類収納具は、衣類の上部の内部において左右の中側に配置される中側支持上縁を備える中枠体と、衣類の上部の内部において前記中側支持上縁の左右の外側に配置される外側支持上縁及び衣類の側部の内側に配置される外側支持側縁を備え、前記中枠体の左右の側部に第１の連結具を介して展開可能かつ折り畳み可能にそれぞれ連結された左右の側枠体と、を具備する。ここで、前記第１の連結具は、前記中枠体の前記側部に対して接続角を変更可能に接続された中枠側接続部と、前記側枠体に対して接続角を変更可能に接続された側枠側接続部と、前記中枠側接続部と前記側枠側接続部を第１の間隔を介して連結する連結部とを有することが好ましい。
【０００９】
本発明において、前記中枠体の下部に第２の連結具を介して展開可能かつ折り畳み可能に連結された上部を備える下枠体をさらに具備することが好ましい。このとき、前記第２の連結具は、前記中枠体の前記下部に対して接続角を変更可能に接続された中枠側接続部と、前記上部に対して接続角を変更可能に接続された下枠側接続部と、前記中枠側接続部と前記下枠側接続部を第２の間隔を介して連結する連結部とを有することが望ましい。この場合において、前記第２の間隔は、前記第１の間隔より大きいことがさらに好ましい。
【００１０】
本発明において、前記側枠体の上下方向の長さは、前記側枠体の左右方向の幅より大きいことが好ましい。特に、前記側枠体の上下方向の長さは、前記側枠体の左右方向の幅の１．５倍以上であることが望ましい。また、前記側枠体の上下方向の長さは、前記側枠体の左右方向の幅の２倍以上であることがさらに望ましい。ここで、前記左右の側枠体の前記上下方向の長さは、前記中枠体の前記上下方向の長さの８０％〜１２０％の範囲内であることが望ましい。この場合には特に、前記側枠体の上縁は、前記中枠体の前記上部の支持形状とともにハンガーのなだらかな曲線状の上縁形状をする位置及び形状となるように構成されることが望ましい。また、前記側枠体の前記上下方向の長さ範囲の８０％以上は、前記中枠体の前記上下方向の長さ範囲に対して重なることが望ましい。
【００１１】
本発明において、前記下枠体の左右の側部に対して第３の連結具を介して展開可能かつ折り畳み可能に連結された下側枠体をさらに具備することが好ましい。ここで、前記第３の連結具は、前記下枠体の前記側部に対して接続角を変更可能に接続された下枠側接続部と、前記下側枠体に対して接続角を変更可能に接続された下側枠側接続部と、前記下枠側接続部と前記下側枠側接続部を第３の間隔を介して連結する連結部とを有する。この場合において、前記第２の間隔は、前記第３の間隔より大きいことが望ましい。また、前記下枠体は前記中枠体と同じ左右方向の幅を有することが好ましい。さらに、前記下側枠体は、前記側枠体と同じ左右方向の幅を備えることが望ましい。
【００１２】
本発明において、前記第１の連結具は、前記中枠体と前記側枠体が展開された態様にあるときの前記中枠体及び前記側枠体に対する角度姿勢が保持される保持力を生ずるように構成されることが好ましい。この場合において、前記中枠体と前記側枠体とが折り畳まれた態様にあるときの姿勢が保持される保持力を生ずるように構成されてもよい。
【００１３】
本発明において、前記第１の連結具は、前記中枠体と前記側枠体が折り畳まれた態様において、前記中枠側接続部及び前記側枠側接続部が接続角を変更することにより、前記中枠側接続部と前記側枠側接続部とを結ぶ方向が、前記中枠体と前記側枠体とが対面する方向に沿った姿勢から、前記対面する方向に対して傾斜する姿勢に移行可能となるように構成されることが望ましい。このとき、前記中枠側接続部と前記側枠側接続部とを結ぶ方向が、前記中枠体と前記側枠体とが対面する方向に沿った姿勢から、前記対面する方向に対してその両側のいずれに傾斜する姿勢にも移行可能となるように構成されることがさらに望ましい。
【００１４】
次に、上記課題を解決するために、本発明の別の衣類収納具は、衣類の上部の内部に配置され、衣類の上部の内部において少なくとも左右の中側に配置される部分である中枠体を含む上枠部と、前記中枠体の下部に第２の連結具を介して展開可能かつ折り畳み可能に連結された上部を備え少なくとも左右の中側に配置される部分である下枠体を含む下枠部と、を具備する。ここで、前記第２の連結具は、前記中枠体の下部に対して接続角を変更可能に接続された中枠側接続部と、前記下枠体の上部に対して接続角を変更可能に接続された下枠側接続部と、前記中枠側接続部と前記下枠側接続部を第２の間隔を介して連結する連結部とを有することが好ましい。このとき、上記上枠部は、上記中枠体を含むことが好ましく、また、上記中枠体とともに、上記左右の側枠体を含むことが望ましい。ここで、上記上枠部に含まれる中枠体が、上記中枠体の構成部分と上記側枠体の構成部分の双方を（折り畳み可能ではなく）一体に備えるものであってもよい。一方、上記下枠部は、上記下枠体を含むことが好ましく、また、上記下枠体とともに、上記左右の下側枠体を含むことが望ましい。ここで、上記下枠部に含まれる下枠体が、上記下枠体の構成部分と上記下側枠体の構成部分の双方を（折り畳み可能ではなく）一体に備えるものであってもよい。
【００１５】
本発明において、前記第２の連結具は、前記中枠体と前記下枠体が展開された態様にあるときの前記中枠体及び前記下枠体に対する角度姿勢が保持される保持力を生ずるように構成されることが好ましい。この場合において、前記中枠体と前記下枠体とが折り畳まれた態様にあるときの前記中枠体及び前記下枠体に対する角度姿勢が保持される保持力を生ずるように構成されてもよい。
【００１６】
本発明において、前記第２の連結具は、前記中枠体と前記下枠体が折り畳まれた態様において、前記中枠側接続部及び前記下枠側接続部が接続角を変更することにより、前記中枠側接続部と前記下枠側接続部とを結ぶ方向が、前記中枠体と前記下枠体とが対面する方向に沿った姿勢から、前記対面する方向に対して傾斜する姿勢に移行可能となるように構成されることが望ましい。このとき、前記中枠側接続部と前記下枠側接続部とを結ぶ方向が、前記中枠体と前記下枠体とが対面する方向に沿った姿勢から、前記対面する方向に対してその両側のいずれに傾斜する姿勢にも移行可能となるように構成されることがさらに望ましい。
【００１７】
本発明において、前記中枠体は前記上部の中央に取り付けられたフックを備え、該フックは、前記上部から上方へ突出する繰り出し姿勢と、前記中枠体の内側に格納される格納姿勢とを切り替え可能に構成されることが望ましい。また、前記第１の連結具と前記第２の連結具のうちの少なくとも一方は、各枠体を表裏いずれの向きでも折り畳み可能となるように構成されることが好ましい。また、前記第１の連結具と前記第２の連結具のうちの少なくとも一方は、前記連結部が湾曲可能に構成されることが好ましい。
【発明の効果】
【００１８】
本発明によれば、展開態様にある中枠体と側枠体の上部（中側支持上縁と外側支持上縁）に衣類を掛け、この衣類の左右の側部を左右の側枠体とともに折り返すことにより、第１の連結具により第１の間隔を確保しつつ衣類を横方向に折り畳み、これを保持することができる。また、上記衣類の下部を下枠体とともに上方へ折り返すことにより、第２の連結具により第２の間隔を確保しつつ衣類を縦方向に折り畳み、これを保持することができる。したがって、適用する衣類の態様に応じて衣類を的確に折り畳み可能とすることにより、折り畳み態様の乱れを抑制しつつコンパクトに収納可能な衣類収納具を提供することができる。特に、第２の間隔が前記第１の間隔より大きいことにより、衣類が縦横に折り畳まれる際に厚みが増大しても、確実に整然とした折り畳み態様を実現することができる。
【００１９】
また、前記側枠体の上下方向の長さが左右方向の幅より大きいことにより、前記側枠体の前記外側支持側縁を上下方向の広い範囲に形成することができるため、衣類の左右の側部を折り畳む際に広範囲にわたって内側からしっかりと支持、案内することができるから、衣類に折り畳み態様の乱れが生ずることを抑制し、的確に折り畳むことができる。
【００２０】
さらに、下枠体の左右の側部に第３の連結具を介して下側枠体を連結する場合には、衣類の左右の側部を上下方向の広い範囲にわたって、左右の側枠体と下側枠体とともに折り返すことにより、第１の連結具により第１の間隔を確保し、第３の連結具により第３の間隔を確保しつつ、衣類を横方向に折り畳み、これを保持することができる。したがって、衣類の下部までの左右の側部全体を、整然と横方向に折り畳むことができ、さらに、そのように折り畳まれた下部を下枠体及び下側枠体と共に上部へ折り返すことができるから、衣類をさらに的確にかつ整然とコンパクトに折り畳むことができる。
【００２１】
一方、中枠体を含む上枠部と下枠体を含む下枠部とを具備し、中枠体の下部と下枠体の上部とが第２の連結具を介して接続される場合には、展開態様にある上枠部と下枠部に衣類を掛け、この衣類の上下の部分を上下の上枠部と下枠部とともに折り返すことにより、第２の連結具により第２の間隔を確保しつつ衣類を縦方向に折り畳み、これを保持することができる。
【図面の簡単な説明】
【００２２】
【図１】本発明に係る第１実施形態の衣類収納具の展開された態様を示す正面図（ａ）、右側面図（ｂ）及び底面図（ｃ）である。
【図２】第１実施形態の衣類収納具の左右の側枠体及び下側枠体が中枠体及び下枠体の上に折り畳まれた態様を示す正面図（ａ）、右側面図（ｂ）及び底面図（ｃ）である。
【図３】第１実施形態の衣類収納具の下枠体及び下側枠体が中枠体及び側枠体の上に折り畳まれた態様を示す正面図(ａ)、右側面図（ｂ）及び底面図（ｃ）である。
【図４】各枠体と各連結具との間の接続構造を示す分解図（ａ）及び嵌合図（ｂ）及び（ｃ）である。
【図５】第１実施形態の中枠体の正面図（ａ）、下枠体の正面図（ｂ）及び側枠体の正面図（ｃ）である。
【図６】第１実施形態のフックの分解図（ａ）、第１の連結具の正面図、側面図、端面図及び斜視図（ｂ）、及び、第２の連結具の正面図、側面図、端面図及び斜視図（ｃ）である。
【図７】第１実施形態の展開された態様の斜視図である。
【図８】第２実施形態の中枠体及び側枠体の折り畳まれた態様の平面図(ａ)及び正面図（ｂ）である。
【図９】第２実施形態の全体の展開された態様の正面図である。
【図１０】第２実施形態の第１の連結具の斜視図（ａ）、平面図（ｂ）及び側面図（ｃ）、並びに、第２の連結具の斜視図（ｄ）、平面図（ｅ）及び側面図（ｆ）である。
【図１１】第２実施形態の折り畳まれた態様を示す平面図(ａ)、正面図（ｂ）及び右側面図（ｃ）である。
【発明を実施するための形態】
【００２３】
次に、添付図面を参照して本発明の実施形態について詳細に説明する。最初に、図１〜図７を参照して、本発明に係る第１実施形態の衣類収納具について説明する。
【００２４】
（第１実施形態）
本実施形態の衣類収納具１０は、図１（ａ）に示すように、中枠体１１と、この中枠体１１の左右の側部に対して第１の連結具１５を介して連結された左右の側枠体１２と、上記中枠体１１の下部に対して第２の連結具１６を介して連結された下枠体１３とを備えている。第１の連結具１５を介して接続された中枠体１１及び左右の側枠体１２は、本実施形態において、上記の上枠部に相当する。上記中枠体１１、側枠体１２及び下枠体１３（並びに後述する下側枠体１４）は、合成樹脂などによりそれぞれ一体に構成される。また、第１の連結具１５、第２の連結具１６（及び後述する第３の連結具１８）も、合成樹脂などによりそれぞれ一体に構成される。なお、いずれの部分も或る程度の剛性を備える硬質樹脂などの素材で構成されることが望ましいが、衣類ＣＬの支持性能さえ確保できれば、ゴムなどの可撓性を有する素材を用いることもできる。
【００２５】
中枠体１１は全体として矩形状の平面形態を備える枠体（衣類ＣＬを内側から支持するフレーム）である。ただし、図示例の場合、左右の側部１１ｓ及び下部１１ｄの各辺は直線状であるのに対して、上部１１ｕの辺は山形に形成される。そして、この上部１１ｕには、衣類ＣＬの上部ＣＬａの内側において左右の中側に配置される中側支持上縁１１ａが形成される。図示例では、この中側支持上縁１１ａは、中枠体１１の板状の他の部分に比べて前後方向に拡幅した形状とされ、中側から左右に向けてなだらかに凹曲線状に下がっていく輪郭を備えた、ハンガーの肩部に相当する形態を備えている。
【００２６】
中側支持上縁１１ａは中央部で分断され、この分断された部分に嵌合する形で、フック１７の基部１７ａが図５（ａ）に示す水平な軸線を備えた支持軸１１ｙ（図５（ａ）参照）に対して回動可能に取り付けられる。また、フック１７の係止部１７ｂは、基部１７ａに対して垂直な軸線の周りに回動可能に取り付けられる。さらに、基部１７ａには開口１７ｃが設けられ、ネクタイなどを挿入して吊り下げることができるようになっている。図６（ａ）に示すように、係止部１７ｂの下端には突起軸１７ｄが形成され、この突起軸１７ｄが、ハーフ１７Ａと１７Ｂを重ね合わせて形成される基部１７ａの受け孔１７ｅに嵌合することにより、基部１７ａに対する係止部１７ｂの垂直な軸線周りの回動可能な軸支構造が構成される。中枠体１１において、上記フック１７の下方には、左右の側部１１ｓを接続する帯状の横架部１１ｗが設けられる。図示例では、横架部１１ｗは上下に二本形成される。横架部１１ｗは、スラックスなどを掛けることができるように構成される。
【００２７】
なお、本明細書において、衣類収納具に関する方位を示す上下左右と前後と水平及び垂直の各用語については、図１の正面図（ａ）の図中における上下左右と、紙面の前後と、図中における水平及び垂直にそれぞれ対応する意味を備えるものとする。ただし、衣類収納具に関する上記の方位を示す用語自体は、単に衣類収納具の各部間の相対的な位置関係を記述するために便宜上定めたものに過ぎず、方位の各用語そのものに意味があるわけではない。また、本明細書において、各枠体の名称は、衣類ＣＬを内側から支持するものという意味であり、それ以外の構造や形状に関する意味はない。したがって、各枠体の用語自体は、特有の構造や形状を表すものではない。
【００２８】
側枠体１２は、中枠体１１の側にある直線状の内側部１２ｓと、中枠体１１とは反対側にある弓状の外側部１２ｏとを備える。外側部１２ｏの上部には、上記中側支持上縁１１ａの延長線に沿って外側斜め下方へ向けて凸曲線状の輪郭を備えて延在する外側支持上縁１２ａが設けられる。なお、上記中側支持上縁１１ａの左右の傾斜部分と、左右の側枠体１２のそれぞれの外側支持上縁１２ａの支持面上には、上記輪郭に沿った方向のすべり止め用の構造、例えば、表面凹凸構造を形成してもよい。また、外側部１２ｏの中央部分には、下方へ直線状に延在する外側支持側縁１２ｂが設けられる。図示例では、外側部１２ｏの下部には、内側斜め下方へ向けて凸曲線状の輪郭を備えて延在する外側支持下縁１２ｃが設けられる。図示例の場合、外側支持上縁１２ａと外側支持下縁１２ｃとが対称形とされることにより、外側部１２ｏの全体形状も上下対称な形状となっている。側枠体１２には、内側部１２ｓの中間部と外側部１２ｏの中間部とを接続する横架部１２ｗが設けられる。
【００２９】
側枠体１２では、図５（ｃ）に示すように、上下方向の長さＬ１２が左右方向の幅Ｗ１２より大きく構成されている。特に、本実施形態では、長さＬ１２は幅Ｗ１２の１．５倍以上である。図示例の場合には、長さＬ１２は幅Ｗ１２の２倍以上（３．５倍程度）となっている。これは、上記外側支持側縁１２ｂの上下方向の支持範囲を広く設定するためである。後述するように、外側支持側縁１２ｂにより衣類ＣＬの左右の側部ＣＬｂを上下方向の広い支持範囲にわたって支持、案内できる。このことは、従来のハンガーやハンガー型の収納具が備えていなかった本実施形態の特徴の一つである。
【００３０】
中央の中枠体１１と左右の側枠体１２，１２は、左右の幅方向に見て、図１に示す展開された態様（以下、単に「展開態様」という。）と、図２に示す折り畳まれた態様（以下、単に「折り畳み態様」という。）のいずれの態様にもなり得るように、第１の連結具１５によって連結されている。第１の連結具１５は、図５（ａ）に示す中枠体１１の左右の側部１１ｓに設けられた垂直な軸線を備える連結軸１１ｔに嵌合する中枠側接続部１５ａと、側枠体１２の内側部１２ｓに設けられた垂直な軸線を備える連結軸１２ｔに嵌合する側枠側接続部１５ｂと、中枠側接続部１５ａと側枠側接続部１５ｂとを連結する連結部１５ｃとを備える。図６（ｂ）に示すように、第１の連結部１５における中枠側接続部１５ａと側枠側接続部１５ｂとの間の距離、すなわち、連結軸１１ｔの軸線と連結軸１２ｔの軸線との間の間隔が第１の間隔Ｇ１５となっている。この第１の間隔Ｇ１５は、衣類ＣＬの左右の側部ＣＬｂを折り畳む際に好適な値とされる。なお、図示例では、中枠部１１と側枠部１２は、それぞれ上下方向に二箇所ずつ連結軸１１ｔ、１２ｔを備え、これらの各箇所においてそれぞれ第１の連結具１５によって相互に連結される。なお、第１の連結具１５において、連結部１５ｃがゴム素材などの可撓性素材で構成される場合には、間隔Ｇ１５が多少増減するように構成されていてもよい。この点は後述する第２の連結具１６や第３の連結具１８も同様である。
【００３１】
連結軸１１ｔ、１２ｔと、中枠側接続部１５ａ、側枠側接続部１５ｂとは、図４に示すように、相互に嵌合し、相対的に回動可能な接続構造、すなわち、軸支構造を構成する。ここで、図４には、連結軸１１ｔと中枠側接続部１５ａとの接続構造（軸支構造）のみを示すが、連結軸１２ｔと側枠側接続部１５ｂとの接続構造（軸支構造）も同様である。図示例では、中枠側接続部１５ａが連結軸１１ｔを回動可能に軸支する軸支構造を有する。このとき、中枠側接続部１５ａ及び側枠側接続部１５ｂは、連結部１５ｃの延在方向（中枠側接続部１５ａと側枠側接続部１５ｂを結ぶ方向）に向けて相互に背反する向きに開口する開口部を備え、この開口部を通して、中枠側接続部１５ａ及び側枠側接続部１５ｂと連結軸１１ｔ、１２ｔとが着脱可能に構成される。中枠側接続部１５ａ及び側枠側接続部１５ｂと連結軸１１ｔ、１２ｔとは、装着時において回動可能に嵌合した状態となる。連結軸１１ｔ、１２ｔは、中枠側接続部１５ａ及び側枠側接続部１５ｂが主として上記開口部の開口幅を増減させる態様で弾性変形することによって上記開口部を通して各接続部内に嵌合したり（スナップ止めされたり）、離脱したりすることが可能とされている。
【００３２】
この接続構造（軸支構造）においては、図４に示すように、連結軸１１ｔの外周面の所定の角度位置にリブ（凸条）１１ｐが形成されるとともに、中枠側接続部１５ａの内周面の対応する角度位置に凹溝１５ｇが形成され、中枠側接続部１５ａと連結軸１１ｔとが所定の角度関係になったときにリブ１１ｐと凹溝１５ｇとが嵌合し、当該角度位置で所定の保持力が軸線周りに生ずるように構成される。なお、側枠側接続部１５ｂと連結軸１２ｔとの間で保持力を発生させる構造も同様である。いずれの構造でも、上記接続構造が所定の角度で所定の保持力を発生するように構成されていればよい。特に、図１に示す展開態様で第１の接続具１５の両接続部１５ａ，１５ｂと連結軸１１ｔ、１２ｔとの間に角度を保持する保持力が生ずるように構成されていることが好ましい。これにより、展開態様において衣類ＣＬを確実に内側から支持、案内できるため、衣類ＣＬの支持機能が安定し、また、折り畳みを開始する際にも折り畳み時の案内機能を確実に奏することができる。
【００３３】
図示例では、連結軸１１ｔ、１２ｔと中枠側接続部１５ａ及び側枠側接続部１５ｂの間では、９０度間隔に設定された複数の角度位置で保持力が発生するようになっている。本実施形態においては、図１に示すように、上記の展開態様において、第１の連結具１５は、中枠体１１と側枠体１２の間で上記連結部１５ｃがほぼ左右方向（中枠体１１の枠平面）に沿った姿勢となる。そして、この姿勢において、連結軸１１ｔ、１２ｔと中枠側接続部１５ａ及び側枠側接続部１５ｂの両接続部においてリブ１１ｐ，１２ｐと凹溝１５ｇとが嵌合して上記保持力がそれぞれ発生した状態とされる。もっとも、上記の各接続部１５ａ，１５ｂが各連結軸１１ｔ，１２ｔに対して回動範囲全体においてスムーズに回動可能となるように構成されていても構わない。この点は後述する接続部１６ａ，１６ｂや１８ａ，１８ｂにおいても同様である。
【００３４】
中枠体１１の上部１１ｕは、板状に構成される内側部分に対して外側部分が前後方向に膨出した断面Ｔ字状に構成され、その結果、広幅に形成された上縁部を備える。中側支持上縁１１ａは、この上縁部の上面として構成される。なお、中側支持上縁１１ａを前後方向に沿って凸曲面状となる面形状に構成することが好ましい。また、側枠体１２の内側部１２ｓは全体が板状に構成されるのに対して、展開態様において中枠体１１とは反対側に配置される外側部１２ｏは、板状の内側部分に対して外側部分が前後方向に膨出した断面Ｔ字状に構成され、その結果、広幅に形成された側縁部を備える。外側支持上縁１２ａ、外側支持側縁１２ｂ及び外側支持下縁１２ｃは、上記側縁部１２ｏの外面として構成される。図示例では、外側支持上縁１２ａ、外側支持側縁１２ｂ及び外側支持下縁１２ｃは、上方から下方へ向けて相互に連続する面として構成される。ここで、外側支持上縁１２ａをハンガーの左右端部のように衣類ＣＬの肩口から袖部ＣＬｃの内部へ挿入可能となるように、外側支持側縁１２ｂよりも側方へ突出する形状としてもよい。
【００３５】
外側支持側縁１２ｂは、衣類ＣＬの袖部ＣＬｃの肩口よりも下方にある側部ＣＬｂの内側に配置される。これにより、衣類ＣＬの左右の側部ＣＬｂを折り畳む際に、衣類ＣＬの側部ＣＬｂを内側からしっかりと案内することができるので、整然とした折り畳み態様を実現することができる。また、図示例では、側枠体１２が前後方向にも対称に形成されるため、左右の側枠体を共用化できる。また、図示例では、側枠体１２は、外側支持上縁１２ａと外側支持下縁１２ｃとが外側支持側縁１２ｂより突出していない形状とされるため、後述する下側枠体１４と共用することも可能になる。なお、本実施形態の衣類収納具１０の外観は図７の斜視図により示される。また、本実施形態の衣類収納具１０は、図７の斜視図において、表裏両側に対称な形状を備える。また、フック１７以外の部分は、左右両側にも対称な形状及び構造を備える。
【００３６】
中枠体１１の下部１１ｄには、水平な軸線を備える連結軸１１ｖが形成される。図示例では、上記連結軸１１ｔと同様に、下部１１ｄに二つの連結軸１１ｔが形成される。連結軸１１ｖは、第２の連結具１６の中枠側接続部１６ａに嵌合し、回動可能に接続される。第２の連結具１６は、図６（ｃ）に示すように、上記中枠側接続部１６ａと、後述する下枠体１３と連結される下枠側接続部１６ｂと、上記中枠側接続部１６ａと下枠側接続部１６ｂを連結する連結部１６ｃとを備える。第２の連結部１６における中枠側接続部１６ａと下枠側接続部１６ｂとの間の距離、すなわち、連結軸１１ｖの軸線と連結軸１３ｖの軸線との間の間隔が第２の間隔Ｇ１６となっている。この第２の間隔Ｇ１６は、衣類ＣＬの左右の側部ＣＬｂが側枠体１２とともに折り畳まれた態様で、さらに衣類ＣＬの下部ＣＬｄをその上部ＣＬａ上に縦に折り畳まれる際に好適な値とされる。その結果、第２の間隔Ｇ１６は、上記第１の間隔Ｇ１５より大きな値となる。ここで、第１の間隔Ｇ１６は、第１の間隔Ｇ１５の１．６〜２．４倍の範囲内であることが好ましく、特に、２倍であることが望ましい。なお、図示例では、中枠部１１の下部１１ｄと下枠部１３の上部１３ｕは、それぞれ左右方向に二箇所ずつ連結軸１１ｖ、１３ｖを備え、これらの二箇所においてそれぞれ第２の連結具１６によって相互に連結される。この第２の連結具１６は、連結部１６ｃの長さが異なるだけであり、中枠側接続部１６ａ及び下枠側接続部１６ｂの構造は、上記の第１の連結具１５の接続構造及び嵌合構造と同様に形成され、上記保持力を与えるための構造についても同様である。特に、図１及び図２に示す展開態様において、第２の連結具１６を介して中枠体１１と下枠体１３の角度姿勢を保持する保持力が生ずるように構成されることが望ましい。
【００３７】
下枠体１３は、全体として矩形状の枠体である。図示例の場合、上部１３ｕ、左右の側部１３ｓ及び下部１３ｄの各辺はそれぞれ直線状帯形の平面形状を有する板状に構成される。なお、下部１３ｄを上記中枠体１１の上部１１ｕと同様に山形に構成し、フック１７を設けてもよい。上部１３ｕ及び下部１３ｄには、水平な軸線を備える連結軸１３ｖが設けられる。図示例では、連結軸１３ｖは上部１３ｕ及び下部１３ｄに二つずつ形成される。上部１３ｕに設けられた連結軸１３ｖは、上記第２の連結具１６の下枠側接続部１６ｂに嵌合し、回動可能に接続される。なお、下枠部１３の下部１３ｄには、上記と同様の第２の連結具１６を介して、別の中枠部１１や下枠部１３を連結することもできる。図示例では、下枠体１３は、表裏両側、左右両側、上下両側にそれぞれ対称な形態を備える。
【００３８】
下枠体１３は、第３の連結具１８を介して、左右の側方にそれぞれ配置される下側枠体１４に連結される。第３の連結具１８を介して接続された下枠体１３及び左右の下側枠体１４は、本実施形態において、上記の下枠部に相当する。ここで、左右の側部１３ｓには、それぞれ、垂直な軸線を備える連結軸１３ｔが形成され、この連結軸１３ｔが第３の連結具１８の下枠側接続部１８ａに接続される。下側枠体１４は、側枠体１２と同様に、直線状の内側部１４ｓと弓状の外側部１４ｏとを備える。内側部１４ｓには垂直な軸線を備える連結軸１４ｔが設けられ、この連結軸１４ｔは第３の連結具１８の下側枠側接続部１８ｂにより回動可能に接続される。また、外側部１４ｏには、側枠体１２と同様の外側支持上縁１４ａ、外側支持側縁１４ｂ及び外側支持下縁１４ｃとが設けられる。図示例では、下側枠体１４は、上記側枠体１２と完全に同一の形状及び構造を備えている。ここで、図示例では、下側枠体１４は、上記側枠体１２と同様に、外側支持上縁１４ａと外側支持下縁１４ｃとが外側支持側縁１４ｂより突出していない形状とされるため、外側部１４ｏ（外側支持上縁１４ａ、外側支持側縁１４ｂ及び外側支持下縁１４ｃ）が衣類ＣＬの側部ＣＬｂの内側に収まるようになっている。また、第３の連結具１８の上記の接続構造及び嵌合構造は、第１の連結具１５と全く同一であり、同様の下枠側接続部１８ａ、下側枠側接続部１８ｂ及び連結部１８ｃを備える。また、第３の連結部１８における下枠側接続部１８ａと下側枠側接続部１８ｂとの間の距離、すなわち、連結軸１３ｔの軸線と連結軸１４ｔの軸線との間の間隔（第３の間隔Ｇ１８）は、上記第１の間隔Ｇ１５と同じに構成される。したがって、第２の間隔Ｇ１６は第３の間隔Ｇ１８よりも大きい。なお、下枠体１３の左右方向の全体の幅を、上記中枠体１１の左右方向の全体の幅と多少異なるように（例えば、わずかに小さくなるように）構成してもよい。また、上記の下枠部を、左右の下側枠体１４が接続されていない、下枠体１３のみで構成してもよい。
【００３９】
次に、上記構成を有する本実施形態の衣類収納具１０の使用方法について説明する。まず、図１に示すように、衣類ＣＬを衣類収納具１０の中枠体１１の上部１１ｕ及び側枠体１２の上部に掛けた状態とする。このとき、衣類ＣＬ（図示例では上着やコートなど）は、その正面が後方を向く姿勢で衣類収納具１０に掛けられる。すなわち、図１において、衣類ＣＬの背面が前方を向いた姿勢となっている。もっとも、衣類ＣＬの正面が前方を向く姿勢で衣類収納具１０に掛けてもよい。
【００４０】
図１の状態では、衣類収納具１０は展開態様とされ、中枠体１１の中側支持上縁１１ａ及び側枠体１２の外側支持上縁１２ａが衣類ＣＬの上部ＣＬａの内側に配置され、衣類ＣＬを内側から支持する。これにより、衣類ＣＬはフック１７により吊り下げ可能な状態となる。このとき、側枠体１２の外側支持側縁１２ｂ及び下側枠体１４の外側支持側縁１４ｂは衣類ＣＬの側部ＣＬｂの内側に配置される。なお、袖部ＣＬｃは、本実施形態では直接に内側から支持されないが、側枠体１２の外側支持上縁１２ａを外側支持側縁１２ｂよりも外側へ突出させることにより、その突出部分が衣類ＣＬの袖部ＣＬｃの肩口内に挿入され、袖部ＣＬｃの上部を内側から支持するようにすることも可能である。なお、衣類ＣＬの下部ＣＬｄは、図示例では下枠体１３の下部１３ｄに対応する位置に配置されるが、下部ＣＬｄと下部１３ｄの位置関係（上下位置）は任意である。なお、フック１７は基本的にバッグやケースなどに収納する際には使用しないため、支持軸１１ｙを中心として図示下方へ回転させることにより、図２に示すように、中枠体１１の上部１１ｕの下方（中枠体１１の内側）に格納できるように構成される。
【００４１】
次に、図２に示すように、衣類ＣＬの左右の側部ＣＬｂを前方へ折り返すことにより、横方向の折り畳み態様とする。このとき、衣類ＣＬの側部ＣＬｂは、内側に配置された側枠体１２及び下側枠体１４とともに中枠体１１上へ折り畳まれる。この折り畳み時には、側枠体１２の外側支持側縁１２ｂ及び下側枠体１４の外側支持側縁１４ｂが側部ＣＬｂの内側に配置されているため、当該側部ＣＬｂは側枠体１２及び下側枠体１４により内側から案内された状態で、整然と折り畳まれる。ここで、第１の連結具１５は、図１（ｃ）の展開態様に対して、図２（ｃ）に示すように、中枠側接続部１５ａ及び側枠側接続部１５ｂがそれぞれ連結軸１１ｔ及び１２ｔに対して回動し、それぞれ屈折した状態となる。
【００４２】
側枠体１２及び下側枠体１４は、従来構造とは異なり、上下方向の長さＬ１２（Ｌ１４）が左右方向の幅Ｗ１２（Ｗ１４）より大きく、特に、１．５倍以上、或いは、２倍以上とされるため、衣類ＣＬの内側に中枠体１１及び側枠体１２（下枠体１３及び下側枠体１４）を収容できる寸法としつつ、外側支持側縁１２ｂ（１４ｂ）を上下方向の広い範囲に設けることができる。したがって、衣類ＣＬの側部ＣＬｂを内側からしっかりと案内した状態で、整然と折り畳むことが可能になる。すなわち、側枠体１２及び下側枠体１４の案内により折り目を崩さずに折り畳むことができる。
【００４３】
この横方向の折り畳み態様では、当該折り畳み態様を形成するために機能する第１の連結具１５及び第３の連結具１８に関し、図２（ｃ）に示す角度φ（中枠体１１の枠平面に沿った方向と、連結部１５ｂ，１８ｂの延在方向（中枠側接続部１５ａ，下枠側接続部１８ａと側枠側接続部１５ｂ、下側枠側接続部１８ｂを結ぶ方向）との間の交差角度）は、９０度を中心として、これより大きい或る角度から、それより小さい別の角度までの範囲のいずれかの角度に設定され得るようになっている。図示例では、衣類ＣＬがないときには、上記角度φが少なくとも２０〜１６０度の範囲内で可動となるように構成される。
【００４４】
角度φ＝９０度の場合、中枠体１１と側枠体１２（或いは、下枠体１３と下側枠体１４）が対面する方向（図示例では前後方向に一致する。）の間隔は上記第１の間隔Ｇ１５（第３の間隔Ｇ１８）となって、最大になる。また、角度φが９０度より小さくなる場合には、連結部１５ｃ（１８ｃ）の傾斜により、上記対面する方向の間隔は第１の間隔Ｇ１５（第３の間隔Ｇ１８）よりも小さくなるため、折り畳み構造の厚みも減少する。一方、連結部１５ｃ（１８ｃ）が傾斜する分だけ、中枠体１１（下枠体１３）に対して側枠体１２（下側枠体１４）が外側へ配置されるため、衣類ＣＬの前方に配置される部分の左右方向の配置スペースは僅かではあるものの増大する。さらに、角度φが９０度より大きくなる場合には、上記と同様に、上記対面する方向の間隔は第１の間隔Ｇ１５（第３の間隔Ｇ１８）よりも小さくなるため、折り畳み構造の厚みも減少する。一方、連結部１５ｃ（１８ｃ）が傾斜する分だけ、中枠体１１（下枠体１３）に対して側枠体１２（下側枠体１４）が内側へ配置されるため、衣類ＣＬの前方に配置される部分の左右方向の配置スペースは僅かではあるものの減少する。このように構成されることにより、衣類ＣＬの生地の厚みの大小や衣類ＣＬの各部のサイズの大小などに応じて、上記角度φを変更することにより、衣類収納具１０と衣類ＣＬの全体の厚みや左右方向の幅を調整することができる。例えば、衣類ＣＬに合わせて、収納時の全体の寸法（前後方向の厚みや左右方向の幅）をなるべくコンパクトにするといったことが可能になる。
【００４５】
このとき、上記第１の連結具１５及び第３の連結具１８では、各連結部１５ｃ，１８ｃの両側に設けられる各接続部１５ａ，１８ａ，１５ｂ，１８ｂにおけるそれぞれの接続角（中枠体１１又は側枠体１２の設置平面と、上記連結部１５ｃ、１８ｃの延在方向との間の角度）は、図１に示す展開態様のときに０度であり、図２に示す横方向の折り畳み態様のときに、少なくとも９０度に近い、９０度の前後の角度値になる。このため、上記接続角の変更可能な角度範囲は、少なくとも、上記０度から上記９０度の前後の値までを含む範囲でなければならない。また、各接続部１５ａ，１８ａ，１５ｂ，１８ｂにおけるそれぞれの上記接続角の変更可能な角度範囲は、折り畳み態様における、中枠体１１又は下枠体１３と、側枠体１２又は下側枠体１４との間の干渉、あるいは、これらと上記連結部１５ｃ、１８ｃとの間の干渉が生じないように構成すれば、上記接続角を０度から１８０度の範囲において可変に構成することも可能である。上記干渉は、接続部１５ａ、１５ｂ，１８ａ，１８ｂ以外の各部材の隣接する領域の肉厚の低減、間隔の増大、内外方向の幅の低減などにより回避できる。例えば、図１に示す展開態様において、中枠体１１の側部１１ｓの内縁を図示点線のように形成し、側部１１ｓの内外方向の幅を低減するとともに、側枠体１２の内側部１２ｓの内縁の細幅化や角部の欠落処理を行う方法、或いは、側部１１ｓと内側部１２ｓを薄肉化したりする方法により、図２に示す横方向の折り畳み態様において、中枠体１１と側枠体１２の厚み方向の干渉を回避できる。
【００４６】
さらに、図３に示すように、衣類ＣＬの下部ＣＬｄを上方へ折り返すことにより、縦方向の折り畳み態様とする。このとき、下部ＣＬｄは、内部に配置された下枠体１３及び下側枠体１４とともに、中枠体１１及び側枠体１２上へ折り畳まれる。この折り畳み時には、衣類ＣＬと衣類収納具１０の全体の厚みは大きくなるが、第２の連結具１６の上記第２の間隔Ｇ１６は上記第１の間隔Ｇ１５（第３の間隔Ｇ１８）より大きい（好ましくは１．６〜２．４倍、特に、２倍である）ため、支障なく折り畳み可能とすることができる。ただし、部品の種類を減らすために、第１の連結具１５、第２の連結具１６及び第３の連結具１８を共通化するなど、第１の間隔Ｇ１５、第２の間隔Ｇ１６、第３の間隔Ｇ１８を相互に同じ値に設定してもよい。この場合、第１の連結具１５や第３の連結具１８では、前述のように角度φを９０度よりもその前後に相対的に大きくずらし、連結部１５ｃ、１８ｃの延在方向を、折り畳まれた中枠体１１と側枠体１２、或いは、下枠体１３と下側枠体１４とが相互に対向する方向から傾斜した方向となるように構成して、当該対向する方向に見た実質的な間隔をＧ１５やＧ１８よりも小さくし、第２の連結具１６では、角度θを相対的に９０度若しくは９０度に近く設定し、上記延在方向の上記対向する方向に対する傾斜をなくすか若しくは小さくすることにより、上記対向する方向に見た実質的な間隔をＧ１６に近い大きな値とすることが考えられる。
【００４７】
この縦方向の折り畳み態様では、図３（ｂ）に示す角度θ（中枠体１１の枠平面に沿った方向と、連結部１６ｂの延在方向（中枠側接続部１６ａと下枠側接続部１６ｂを結ぶ方向）との間の交差角度）は、９０度を中心として、これより大きい或る角度から、それより小さい別の角度までの範囲のいずれかの角度に設定され得るようになっている。角度θ＝９０度の場合、中枠体１１と下枠体１３が対面する方向の間隔は上記第２の間隔Ｇ１６となって、最大になる。また、角度θが９０度より小さくなる場合には、上記対面する方向の間隔は第２の間隔Ｇ１６よりも小さくなるため、折り畳み構造の厚みも減少する。一方、連結部１６ｃが傾斜する分だけ、中枠体１１に対して下枠体１３が下側へ配置されるため、衣類ＣＬの下部側にある部分の上下方向の配置スペースは僅かではあるものの増大する。さらに、角度θが９０度より大きくなる場合には、上記対面する方向の間隔は第２の間隔Ｇ１６よりも小さくなるため、折り畳み構造の厚みも減少する。一方、連結部１６ｃが傾斜する分だけ、中枠体１１に対して下枠体１３が上側へ配置されるため、衣類ＣＬの下部側にある部分の上下方向の配置スペースは僅かではあるものの減少する。このように構成されることにより、衣類ＣＬの生地の厚みの大小や衣類ＣＬの各部のサイズの大小などに応じて、上記角度θを変更することにより、衣類収納具１０と衣類ＣＬの全体の厚みや上下方向の長さを調整することができる。例えば、衣類ＣＬに合わせて、全体の寸法（前後方向の厚みや上下方向の長さ）をなるべくコンパクトにするといったことが可能になる。
【００４８】
このとき、上記第２の連結具１６では、各連結部１６ｃの両側に設けられる各接続部１６ａ，１６ｂにおけるそれぞれの接続角（中枠体１１又は下枠体１３の設置平面と、上記連結部１６ｃの延在方向との間の角度）は、図１及び図２に示す展開態様のときに０度であり、図３に示す縦方向の折り畳み態様のときに、少なくとも９０度に近い、９０度の前後の角度値になる。このため、上記接続角の変更可能な角度範囲は、少なくとも、上記０度から上記９０度の前後の値までを含む範囲でなければならない。また、各接続部１６ａ，１６ｂにおけるそれぞれの上記接続角の変更可能な角度範囲は、縦の折り畳み態様における、中枠体１１及び側枠体１２と下枠体１３及び下側枠体１４との間の干渉、あるいは、これらと上記連結部１６ｃとの間の干渉が生じないように構成すれば、上記接続角を０度から１８０度の範囲において可変に構成することも可能である。上記干渉は、接続部１６ａ、１６ｂ以外の各部材の隣接する領域の肉厚の低減、間隔の増大、内外方向の幅の低減などにより回避できる。例えば、図１に示す中枠体１１の下部１１ｄの上下方向の幅の低減や厚みの低減、下枠体１３の上部１３ｕの上下方向の幅の低減や厚みの低減などである。
【００４９】
（第２実施形態）
次に図８〜図１１を参照して、本発明に係る第２実施形態の衣類収納具２０について説明する。本実施形態では、中枠体２１（上部２１ｕ，側部２１ｓ，下部２１ｄ，中側支持上縁２１ａ，連結軸２１ｔ，２１ｖ，横架部２１ｗ）、側枠体２２（内側部２２ｓ、外側部２２ｏ、外側支持上縁２２ａ、外側支持側縁２２ｂ，外側支持下縁２２ｃ，連結軸２２ｔ，横架部２２ｗ）、下枠体２３（上部２３ｕ，側部２３ｓ，下部２３ｄ，中側支持上縁２３ａ，連結軸２３ｔ，２３ｖ，横架部２３ｗ）、下側枠体２４（内側部２４ｓ、外側部２４ｏ、外側支持上縁２４ａ、外側支持側縁２４ｂ，外側支持下縁２４ｃ，連結軸２４ｔ，横架部２４ｗ）、フック２７（基部２７ａ、係止部２７ｂ）は、基本的に、第１実施形態の対応する各部と同様である。
【００５０】
ただし、各枠体は、第１実施形態のような前後方向に膨出した肉厚の上縁形状や外縁形状を備えず、全体として板状に構成されている点で異なる。また、第１の連結具２５、第２の連結具２６及び第３の連結具２８は、各接続部（中枠側接続部２５ａ，側枠側接続部２５ｂ，中枠側接続部２６ａ，下枠側接続部２６ｂ，下枠側接続部２８ａ，下側枠側接続部２８ｂ）の各開口部が、第１実施形態のように連結部の延在方向に沿った方向に開口しているのとは異なり、連結部２５ｃ，２６ｃ，２８ｃの延在方向と直交する方向に開口している。なお、第３の連結具２８は図示されていないが、第１の連結具２５と同一の形状及び構造を備える。
【００５１】
しかしながら、本実施形態では、上記以外の点は第１実施形態と同様であるため、それらの点についての説明は省略する。例えば、第１実施形態と同様に、図８や図１１に示すように、衣類ＣＬを装着した状態で縦横に折り畳むことができる。また、第１実施形態と同様に、角度φやθを変えることにより、全体の厚みやサイズを調整可能であり、衣類ＣＬに合わせて収納時の全体の寸法をコンパクトにまとめることができる点も同様である。
【００５２】
上記各実施形態の衣類収納具１０，２０を用いて衣類ＣＬを折り畳んだ後には、この折り畳み態様にある全体を図示しないバッグ、ケース、袋内に収納することによって、容易に保管し、持ち運ぶことができる。また、図示しないバンドなどを用いて上記の全体を縛ることにより、その折り畳み態様を維持することも可能である。本実施形態では、具体的なサイズは特に限定されないが、例えば、ほとんどの衣類ＣＬをＡ３サイズの平面形状内にまとめることが可能である。さらに、保管や持ち運びの後には、簡単な操作で衣類ＣＬを元の形態に戻し、内部に配置された衣類収納具１０，２０をそのままにして、吊り下げることが可能である。
【００５３】
尚、本発明の衣類収納具は、上述の図示例のみに限定されるものではなく、本発明の要旨を逸脱しない範囲内において種々変更を加え得ることは勿論である。例えば、上記各実施形態では、中枠体１１，２１の上部１１ｕ，２１ｕに中側支持上縁１１ａ，２１ａが設けられ、側枠体１２，２２の外側部１２ｏ，２２ｏに外側支持上縁１２ａ，２２ａ及び外側支持側縁１２ｂ，２２ｂが設けられているが、このことは、本発明に係る衣類収納具が、衣類ＣＬの上部ＣＬａの内側に中側支持上縁１１ａ，２１ａ及び外側支持上縁１２ａ，２２ａが配置され、衣類ＣＬの側部ＣＬｂの内側に外側支持側縁１２ｂ，２２ｂが配置される態様で使用されることを示すに過ぎない。したがって、本発明は、中側支持上縁１１ａ，２１ａ並びに外側支持上縁１２ａ，２２ａ及び外側支持側縁１２ｂ，２２ｂが図示のような前後方向に厚みを有する形態を有していることや、中枠体１１，２１が図示のような山形の形態を有していることを要求するものではなく、例えば、中枠体１１，２１が下枠体１３，２３のような平坦な上部１３ｕ，２３ｕを備えたものであっても構わない。
【００５４】
また、上記各実施形態において、各連結具１５，２５，１６，２６，１８，２８は、それぞれ各枠体の側に形成された連結軸１１ｔ、２１ｔ，１２ｔ，２２ｔ，１３ｔ，２３ｔ，１４ｔ、２４ｔ，１１ｖ、２１ｖ，１３ｖ，２３ｖを回動可能に軸支する各接続部１５ａ，１５ｂ，１６ａ，１６ｂ，１８ａ，１８ｂを備えているが、これとは逆に、各枠体に軸支部を形成し、各連結具の接続部に連結軸を形成するようにしてもよい。
【００５５】
さらに、上記各実施形態では、上記各接続部１５ａ，１５ｂ，１６ａ，１６ｂ，１８ａ，１８ｂが各枠体１１，１２，１３，１４に対して回動可能に接続されているが、本発明の各接続部は、各枠体に対して接続角を変更可能な態様で接続されていればよい。したがって、例えば、上記各接続部は、折り曲げ可能な屈折部であってもよい。
【００５６】
衣類収納具１０，２０は、図示のような上着（洋服）に限らず、シャツ、コート、和服（振袖、浴衣など）、下着、作業着、水着、パジャマ、ガウン、法被、ドレスなどの種々の衣類に用いることもできる。また、ズボン、スカート、タイツ、スカーフなどのその他の衣類に用いても構わない。
【００５７】
上記中枠体１１、側枠体１２、下枠体１３、下側枠体１４、あるいは、上枠部や下枠部は、それぞれが全体として衣類を内側から支持可能な枠状に構成されたものであればよく、その平面形状や厚み分布、或いは、上記横架部１１ｗ、２１ｗ、１２ｗ、２２ｗなどの内側構造などは限定されない。
【符号の説明】
【００５８】
１０，２０…衣類収納具、１１，２１…中枠体、１１ｕ，２１ｕ…上部、１１ｓ，２１ｓ…側部、１１ｄ，２１ｄ…下部、１１ｔ，２１ｔ…連結軸、１１ｖ，２１ｖ…連結軸、１１ｗ，２１ｗ…横架部、１１ａ，２１ａ…中側支持上縁、１２，２２…側枠体、１２ａ，２２ａ…外側接続上縁、１２ｂ，２２ｂ…外側支持側縁、１２ｃ，２２ｃ…外側支持下縁、１２ｓ，２２ｓ…内側部、１２ｏ，２２ｏ…外側部、１２ｗ，２２ｗ…横架部、１３，２３…下枠体、１３ｕ，２３ｕ…上部、１３ｓ，２３ｕ…側部、１３ｄ，２３ｄ…下部、１３ｔ，２３ｔ…連結軸、１３ｖ，２３ｖ…連結軸、１３ｗ，２３ｗ…横架部、１４，２４…下側枠体、１４ａ，２４ａ…外側接続上縁、１４ｂ，２４ｂ…外側支持側縁、１４ｃ，２４ｃ…外側支持下縁、１４ｓ，２４ｃ…内側部、１４ｏ，２４ｏ…外側部、１４ｗ，２４ｗ…横架部、１５，２５…第１の連結具、１５ａ，２５ａ…中枠側接続部、１５ｂ，２５ｂ…側枠側接続部、１５ｃ，２５ｃ…連結部、１６，２６…第２の連結具、１６ａ，２６ａ…中枠側接続部、１６ｂ，２６ｂ…側枠側接続部、１６ｃ，２６ｃ…連結部、１７，２７…フック、１７ａ…基部、１７ｂ…係止部、１７ｃ…開口、１８，２８…第３の連結具、１８ａ，２８ａ…中枠側接続部、１８ｂ，２８ｂ…側枠側接続部、１８ｃ，２８ｃ…連結部、φ，θ…角度、ＣＬ…衣類、ＣＬａ…上部、ＣＬｂ…側部、ＣＬｃ…袖部、Ｃｌｄ…下部、Ｇ１５、Ｇ２５…第１の間隔、Ｇ１６，Ｇ２６…第２の間隔、Ｇ１８，Ｇ２８…第３の間隔、Ｌ１２、Ｌ２２、Ｌ１４，Ｌ２４…上下方向の長さ、Ｗ１２，Ｗ２２，Ｗ１４，Ｗ２４…左右方向の幅
【図１】
2020000566.tif 000003
【図２】
2020000566.tif 000004
【図３】
2020000566.tif 000005
【図４】
2020000566.tif 000006
【図５】
2020000566.tif 000007
【図６】
2020000566.tif 000008
【図７】
2020000566.tif 000009
【図８】
2020000566.tif 000010
【図９】
2020000566.tif 000011
【図１０】
2020000566.tif 000012
【図１１】
2020000566.tif 000013